(57)【要約】【課題】  夏期、汗をかくなど衣服の濡れた状態で自動車などのシートに座ったとき、蒸れによる不快感を軽減する為、背中と背もたれの間に多数の孔が空いたチュウブを複数本横に並べて置き、そのチュウブに空気を送り蒸れなどによる不快感を減らす、蒸れ防止送風機を提供する。【解決手段】  チュウブＢ（４）に寄り掛かっても吹き出し孔（９）が塞がらないよう、チュウブＢ（４）の断面を楕円形にしてチュウブの短径（１１）に多数の吹き出し孔（９）を空け、長径（２１）がシート（１２）と人の背部（１５）との双方に向くよう複数本横に並べて置くことで、シートと背部との間に隙間（１８）が出来るので、チュウブＢ（４）に送風機（６）で空気を送り、汗などを乾燥し蒸れを防ぐことを特徴とする、蒸れ防止送風機。【選択図】図１
2012239865.tif 000002
【特許請求の範囲】
【請求項１】
合成樹脂等を主材とし、寄り掛かっても孔が塞がらず人の背中とシートとの間に隙間が空くよう、柔軟性を有する断面が楕円形のチュウブの短径に多数孔を空け、シートの面と背中側双方に長径が向く様に、チュウブを複数本横に並べて置き、送風機を用いてチュウブに空気を送り、孔から出て来た空気で汗などを乾燥し蒸れを防ぐことを特徴とする、蒸れ防止送風機。
【発明の詳細な説明】
【技術分野】
【０００１】  本発明は、夏期、汗をかくなど衣服の濡れた状態で自動車などのシートに座ったとき、蒸れによる不快感を軽減する為、背中と背もたれの間に孔の空いたチュウブを置き、そのチュウブに空気を送ることによって汗などを乾燥し不快感を減らす、蒸れ防止送風機に関するものである。
【背景技術】
【０００２】  従来、扇風機、エアーコンディショナーを使って汗が引くのを待った。また、下記のように空気が出る装置をシートに内蔵したもの、取り外し可能のものが知られている。
【先行技術文献】
【０００３】
【特許文献１】  特開２００３−２９９５５１号公報
【特許文献２】  特開２００２−２１１２９８号公報
【特許文献３】  特開２００６−８９０１２号公報
【特許文献４】  特開２００８−１２５７２３号公報  などが知られている。
【発明の概要】
【発明が解決しようとする課題】
【０００４】  そのために、次のような問題点があった。
（イ）エアーコンディショナー、扇風機は汗が引いてもシートと背中との間の汗などは乾き難い。
（ロ）シートに送風機能を内蔵すると、例えば自動車のシートの場合、各メーカー、車種によってシートの型、大きさが異なるのでコストが掛かる。
本発明は以上の問題点を解決するために成されたものである。
【課題を解決するための手段】
【０００５】  断面が楕円形のチュウブＢ（４）の短径（１１）に多数の吹き出し孔（９）を空け、長径（２１）がシート（１２）と背部（１５）との双方に向くよう複数本横に並べて置き、チュウブＢ（４）に送風機（６）で空気を送ることにより、汗を乾燥し蒸れを防ぐ。以上を特徴とする、蒸れ防止送風機に関するものである。
【発明の効果】
【０００６】（１）汗など、蒸れによる不快感を軽減できる。
（２）背中と背もたれとの間に、熱がこもるのを防ぎ汗などを乾燥する。
（３）柔軟性があるので、シートの形に左右されない。
（４）シートに内蔵式ではないので、コストを軽減できる。
（５）脱着が簡単である。
（６）消費電力が少ない。
（７）不快感が減り、車などの運転に集中できる。
【発明を実施するための最良の形態】
【０００７】  以下、本発明の実施の形態を説明する。
（イ）  合成樹脂等を主材とし、柔軟性のある断面が楕円形のチュウブＢ（４）を複数本横に並べて設ける。
（ロ）  図５に示すように、チュウブＢ（４）の短径（１１）に吹き出し孔（９）を多数空ける。
（ハ）  吹き出し孔（９）から均等に空気が出るように、柔軟性のあるチュウブＡ（２）を設ける。
（ニ）  チュウブＢ（４）をチュウブＡ（２）に接続するとき、図３に示すように長径（２１）がシート（１２）と衣服（１６）双方に向くように接続する。
（ホ）  チュウブＢ（４）に、空気を送る送風機（６）を設ける。  この送風機の種類としては、シロッコファンが望ましい。
（ヘ）  電力を得るコード（７）とプラグ（８）を設ける。
（ト）  送風機（６）から風切音が出て耳障りなので、耳元から離れるように配管（５）を設ける。
（チ）  本体（１）をシート（１２）に脱着しやすいように、チュウブＡ（２）と配管（５）の繋ぎに、蛇腹（３）を設ける。
（リ）  チュウブＢ（４）は複数本あるので、絡まないように柔軟性のある絡み防止具（１４）を設ける。この絡み防止具（１４）の素材は限定されるものではないから、人の背中に当接した際に不快感を生じないよう、例えばビニール材、軟質ゴム等の柔軟な素材が望ましい。あるいは逆に、図１１に示すように半円形突起（２２）など適時形成して、人の背中のツボ押し効果を期待することも可能である。
（ヌ）  本体（１）をシート（１２）にセットする、面ファスナー付きの紐（１９）を設ける。  尚、この際の面ファスナーとしては、マジックテープ（登録商標）などが考えられる。
（ル）  チュウブＢ（４）は、荷重がかかっても潰れない強度にする。
（ヲ）  送風機（６）から送られた空気は、配管（５）→蛇腹（３）→チュウブＡ（２）→チュウブＢ（４）を通り、吹き出し孔（９）から抜けるようにする。
（ワ）  チュウブＡ（２）の先端部（Ｑ）は空気が抜けないように塞ぐ。
本発明は、以上のような構成より成っている。
本発明を使用するときは、図６に示すように、シート（１２）とヘッドレスト（１３）の接続部の所にチュウブＡ（２）が来るように、面ファスナー付きの紐（１９）を使いセットする。このとき送風機（６）はシート（１２）の後ろに行くので邪魔にならない。
図７に示すようにヘッドレスト（１３）とシート（１２）との接続部の窪んだ所にチュウブＡ（２）が位置するので人（１７）には当たらない。又、背部（１５）は絡み防止具（１４）とチュウブＢ（４）とに当たり、接触面積が広いので荷重が分散し違和感はない。
本体（１）をセットしたら送風機（６）を作動し空気を送る、送られた空気は、配管（５）→蛇腹（３）→チュウブＡ（２）→チュウブＢ（４）を通り図４に示すように吹き出し孔（９）から抜ける。図３に示すようにチュウブＢ（４）は断面が楕円形なので、長径（２１）がシート（１２）と衣服（１６）双方に当たり隙間（１８）が出来るので、吹き出し孔（９）から出て来た空気は隙間（１８）を通って抜けて行く。図５に示すようにチュウブＢ（４）の短径（１１）に吹き出し孔（９）が空いているので荷重が掛かっても孔が塞がることはない。図９に示すように絡み防止具（１４）には、空気の通り抜ける孔（２０）が有るので、吹き出し孔（９）から出て来た空気を妨げることはない。
エアーコンディショナーと本発明を併用すると、より一層不快感を軽減できる。
【図面の簡単な説明】
【０００８】
【図１】  本発明斜視図
【図２】  本発明上から見た図
【図３】  本発明使用時、絡み防止具のない部位の隙間の空く説明図
【図４】  空気の流れる説明図
【図５】  チュウブＢ（４）の短径に吹き出し孔を空けた説明図
【図６】  本発明をシートにセットした説明図
【図７】  本発明使用時
【図８】  絡み防止具の斜視図
【図９】  絡み防止具、上から見た図
【図１０】  絡み防止具にチュウブＢ（４）を通した説明図
【図１１】  絡み防止具に突起をつけた説明図
【符号の説明】
【０００９】１    本体
２    チュウブＡ
３    蛇腹
４    チュウブＢ
５    配管
６    送風機
７    コード
８    プラグ
９    吹き出し孔
１０  空気の流れ
１１  短径
１２  シート
１３  ヘッドレスト
１４  絡み防止具
１５  背部
１６  衣服
１７  人
１８  隙間
１９  面ファスナーつきの紐
２０  空気の通り抜ける孔
２１  長径
２２  突起
Ｑ    先端部
【図１】
2012239865.tif 000003
【図２】
2012239865.tif 000004
【図３】
2012239865.tif 000005
【図４】
2012239865.tif 000006
【図５】
2012239865.tif 000007
【図６】
2012239865.tif 000008
【図７】
2012239865.tif 000009
【図８】
2012239865.tif 000010
【図９】
2012239865.tif 000011
【図１０】
2012239865.tif 000012
【図１１】
2012239865.tif 000013